【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
資産に係わる電子記録移転権利情報であるトークンを発行・流通させるトークン発行・流通方法であって、
管理会社の第１コンピュータが、資産を原資および裏付けとして、価値に関する変換によって前記トークンを発行するステップと、
前記第１コンピュータが、発行した前記トークンに関する管理のための情報であるトークン管理情報を記録するステップと、
前記第１コンピュータが、前記トークンを、顧客の使用する第２コンピュータまたは金融商品を販売し前記顧客と取引する販売会社の第３コンピュータに提供するステップと、  前記第２コンピュータまたは前記第３コンピュータを通じて前記第１コンピュータに送信される、前記トークンの売買または交換の取引に関する指示に応じて、前記第１コンピュータが、前記トークンの売買または交換の取引の処理を行い、前記トークン管理情報を更新するステップと、
前記第１コンピュータが、前記トークンの売買または交換の取引の結果を表す情報を、前記第２コンピュータまたは前記第３コンピュータへ送信するステップと、
を有する、トークン発行・流通方法。
【請求項２】
資産に係わる電子記録移転権利情報であるトークンを発行・流通させるトークン発行・流通方法であって、
販売会社の第３コンピュータを通じて管理会社の第１コンピュータに送信される、資産の売買の指示に関する設定データに応じて、前記第１コンピュータが、金融商品を運用する運用会社の第４コンピュータに、前記資産の売買を指示するステップと、
前記第１コンピュータが、前記第４コンピュータを通じて売買された前記資産を原資および裏付けとして、価値に関する変換によって前記トークンを発行するステップと、
前記第１コンピュータが、前記発行したトークンに関する管理のための情報であるトークン管理情報を記録するステップと、
前記第１コンピュータが、前記トークン管理情報に基づいて、前記トークンの情報を、セキュリティが担保された通信網上の分散台帳に記録するステップと、
前記第１コンピュータが、前記売買された資産に対応付けられた前記トークンの情報を、顧客の使用する第２コンピュータまたは前記第３コンピュータへ送信するステップと、
前記第２コンピュータまたは前記第３コンピュータを通じて前記第１コンピュータに送信される、前記トークンの売買または交換の取引に関する指示に応じて、前記第１コンピュータが、前記トークンの売買または交換の取引の処理を行い、前記トークン管理情報を更新するステップと、
前記第１コンピュータが、前記トークンの売買または交換の取引の結果を表す情報を前記分散台帳に記録するステップと、
前記第１コンピュータが、前記取引の結果を表す情報を、前記第２コンピュータまたは前記第３コンピュータへ送信するステップと、
を有する、トークン発行・流通方法。
【請求項３】
請求項１または２に記載のトークン発行・流通方法において、
前記第２コンピュータは複数の第２コンピュータを含み、前記第３コンピュータは複数の第３コンピュータを含み、
前記トークンの売買または交換の取引に関する前記指示は、前記複数の第２コンピュータ及び前記複数の第３コンピュータの間で行われる前記トークンの売買または交換の取引に関する指示である、
トークン発行・流通方法。
【請求項４】
請求項１〜３のいずれか一項に記載のトークン発行・流通方法において、
前記第１コンピュータが前記トークン管理情報を更新するステップは、前記トークンの売買または交換の取引における前記トークンの対価に関する移転処理の実行完了に応じて、前記第１コンピュータが前記トークン管理情報を更新する、
トークン発行・流通方法。
【請求項５】
マネーとして現金またはデジタルマネーを用いた、キャッシュレス決済サービスを含む決済サービスに関する、請求項１〜４のいずれか一項に記載のトークン発行・流通方法において、
前記第２コンピュータを通じて前記第１コンピュータに送信される、前記顧客が利用する前記決済サービスでの決済のために、前記トークンを前記マネーに変換するための指示情報に応じて、前記第１コンピュータが、前記決済サービスを提供する決済会社の第５コンピュータとの間で、前記トークンから前記マネーへの変換の処理を行い、前記トークン管理情報を更新するステップをさらに有する、トークン発行・流通方法。
【請求項６】
請求項１に記載のトークン発行・流通方法において、
前記第１コンピュータが、前記トークンの取引参照価格情報を生成し、前記第２コンピュータに送信するステップをさらに有する、トークン発行・流通方法。
【請求項７】
請求項１に記載のトークン発行・流通方法において、
前記トークンは、所定の通貨換算で前記所定の通貨における最小単位未満での売買を含む取引が可能であり、
前記第１コンピュータが、前記トークンの取引に伴い、前記最小単位未満での課税額を計算するステップをさらに有する、
トークン発行・流通方法。
【請求項８】
請求項１に記載のトークン発行・流通方法において、
前記トークンは、前記第１コンピュータによって、投資信託を原資および裏付けとして、価値に関する変換によって発行され、
前記第１コンピュータが、前記トークンの取引に伴う情報の記録を通じて、前記顧客毎の前記投資信託の個別元本および保有期間の情報を把握して記録するステップと、
前記第１コンピュータが、前記顧客毎の前記個別元本および保有期間の情報に応じて、前記顧客毎の前記投資信託の運用に関する成功報酬額または長期保有者に対する優遇策の少なくとも一方を決定するステップと、
を有する、トークン発行・流通方法。
【請求項９】
請求項５に記載のトークン発行・流通方法において、
前記第１コンピュータが、前記第２コンピュータとの間で設定される条件に基づいて、前記顧客の資産が所定の利益確定水準に達した場合に、あるいは所定の期間毎に、自動的に前記トークンに対応付けられる前記金融商品を売却して前記決済サービスのマネーに充当するステップを有する、
トークン発行・流通方法。
【請求項１０】
請求項５に記載のトークン発行・流通方法において、
前記第１コンピュータが前記トークンから前記マネーへ変換する処理は、前記資産への投資から生じる分配金に基づいて前記決済会社に原資を提供することと引き換えに、前記決済会社による追加分のマネーを付与するように変換する処理である、
トークン発行・流通方法。
【請求項１１】
請求項１に記載のトークン発行・流通方法において、
前記第１コンピュータが、前記トークンの取引に伴う情報の記録を通じて、前記顧客毎の資産に関して、前記トークンまたは前記金融商品の少なくとも一方に関する売買の推奨を含むレコメンド情報を生成し、前記第２コンピュータに送信するステップを有する、
トークン発行・流通方法。
【請求項１２】
請求項１に記載のトークン発行・流通方法において、
前記トークンは、少なくとも２種類のトークンとして、第１資産に対応付けられた第１トークンと、前記第１資産よりもリスク性が高い第２資産に対応付けられた第２トークンとを有し、
前記第１コンピュータが、前記第１トークンと前記第２トークンとの間で変換を行うステップを有する、
トークン発行・流通方法。
【請求項１３】
請求項１に記載のトークン発行・流通方法において、
前記第１コンピュータが、前記顧客が利用する自動車を含む乗り物における、所定の期間における移動の距離またはコストのパラメータの従量を含むモニタリングに基づいたモニタリングデータを取得するステップと、
前記第１コンピュータが、前記顧客の前記乗り物の前記従量に関する単位量あたりの換算金額を含む条件の設定、および前記モニタリングデータに基づいて、前記従量に応じた金額に相当する前記トークンを前記顧客が自動的に購入する取引を処理するステップと、
を有する、トークン発行・流通方法。
【請求項１４】
請求項１に記載のトークン発行・流通方法において、
前記第１コンピュータが、前記顧客が利用する鉄道を含む交通インフラにおける、所定の期間における移動の距離またはコストのパラメータの従量を含むモニタリングに基づいたモニタリングデータを取得するステップと、
前記第１コンピュータが、前記顧客の前記交通インフラの前記従量に関する単位量あたりの換算金額を含む条件の設定、および前記モニタリングデータに基づいて、前記従量に応じた金額に相当する前記トークンを前記顧客が自動的に購入する取引を処理するステップと、
を有する、トークン発行・流通方法。
【請求項１５】
マネーとして現金またはデジタルマネーを用いた、キャッシュレス決済サービスを含む決済サービスに関する、請求項１３または１４に記載のトークン発行・流通方法において、
前記第１コンピュータまたは前記第２コンピュータが、前記従量に応じて購入された前記トークンを、前記顧客の操作または設定に基づいて、前記顧客が利用する前記決済サービスの前記マネーに変換して充当するステップを有する、
トークン発行・流通方法。
【請求項１６】
資産に係わる電子記録移転権利情報であるトークンを発行・流通させるトークン発行・流通システムであって、
資産を原資および裏付けとして、価値に関する変換によって前記トークンを発行するトークン発行部と、
発行した前記トークンに関する管理のための情報であるトークン管理情報を記録するトークン記録部と、
前記トークンを、顧客の使用する第２コンピュータまたは金融商品を販売し前記顧客と取引する販売会社の第３コンピュータに提供するトークン提供部と、
前記第２コンピュータまたは前記第３コンピュータを通じて送信される、前記トークンの売買または交換の取引に関する指示に応じて、前記トークンの売買または交換の取引の処理を行い、前記トークン管理情報を更新する取引処理部と、
前記トークンの売買または交換の取引の結果を表す情報を、前記第２コンピュータまたは前記第３コンピュータへ送信する取引結果送信部と、
を備える、トークン発行・流通システム。